(57)【要約】【課題】資源の無駄を極力省ける。【解決手段】スキャナー部１０１により、印刷済みの用紙に形成された画像を読み取り、余白検出部１１８により、スキャナー部１０１が読み取った画像から余白が有るかどうかを確認し、余白が有る場合は余白のサイズを検出し、システム制御部１２１により、余白検出部１１８が検出した余白が複数有る場合、余白の最も大きいサイズに応じて再利用可又は再利用不可に設定されている排紙トレイを選択し、印刷済みの用紙を排出させる。これにより、たとえば名刺サイズやＬ判サイズなどのように、比較的小さいサイズに相当する余白が有る場合であっても、印刷済みの用紙を再利用可として仕分けることができ、また、余白は印刷済みの用紙の位置に限定しないため、再利用可とする印刷済みの用紙２００をより多く検出できる。【選択図】図３
2018144998.tif 000002
【特許請求の範囲】
【請求項１】
複数の排紙トレイと、
用紙に形成された画像を読み取る画像読取デバイスと、
前記画像読取デバイスが読み取った画像から余白が有るかどうかを確認し、前記余白が有る場合は前記余白のサイズを検出する余白検出部と、
前記余白検出部が検出した前記余白が複数有る場合、前記余白の最も大きいサイズに応じて再利用可又は再利用不可に設定されている前記排紙トレイを選択し、前記用紙を排出させるシステム制御部とを備える
ことを特徴とする画像形成装置。
【請求項２】
前記システム制御部は、全ての前記余白が特定サイズ未満である場合、再利用不可と判断し、再利用不可に設定されている前記排紙トレイを選択し、特定サイズ以上の前記余白が複数有る場合、最も大きいサイズの前記余白に応じて再利用可に設定されている前記排紙トレイを選択することを特徴とする請求項１に記載の画像形成装置。
【請求項３】
パネル部を備え、
前記システム制御部は、前記パネル部を介して指定された前記余白の指定サイズが特定サイズ以上であるとき、全ての前記余白が前記指定サイズ未満である場合、再利用不可と判断し、再利用不可に設定されている前記排紙トレイを選択し、前記指定サイズ以上の前記余白が複数有る場合、最も大きいサイズの前記余白に応じて再利用可に設定されている前記排紙トレイを選択することを特徴とする請求項１に記載の画像形成装置。
【請求項４】
前記システム制御部は、前記余白検出部が前記用紙の表面側と裏面側とに前記余白があることを検出すると、最も大きいサイズの前記余白に応じて再利用可に設定されている前記排紙トレイを選択することを特徴とする請求項１〜３のいずれかに記載の画像形成装置。
【請求項５】
前記余白検出部は、前記余白のサイズの検出に併せ、前記余白の位置を検出し、
前記システム制御部は、前記余白の位置に基づき、前記余白が表面側と裏面側とで重なっている場合、サイズの大きい方を前記余白と判断することを特徴とする請求項４に記載の画像形成装置。
【請求項６】
画像読取デバイスにより、用紙に形成された画像を読み取る工程と、
余白検出部により、前記画像読取デバイスが読み取った画像から余白が有るかどうかを確認し、前記余白が有る場合は前記余白のサイズを検出する工程と、
システム制御部により、前記余白検出部が検出した前記余白が複数有る場合、前記余白の最も大きいサイズに応じて再利用可又は再利用不可に設定されている前記排紙トレイを選択し、前記用紙を排出させる工程とを画像形成装置を制御するコンピューターに実行させる
ことを特徴とする用紙仕分けプログラム。
【発明の詳細な説明】
【技術分野】
【０００１】
本発明は、印刷済みの用紙の仕分けに適した画像形成装置及び用紙仕分けプログラムに関する。
【背景技術】
【０００２】
たとえば、ＭＦＰ（Ｍｕｌｔｉｆｕｎｃｔｉｏｎ  Ｐｅｒｉｐｈｅｒａｌ）などの画像形成装置においては、印刷機能、コピー機能、ＦＡＸ機能、ネットワーク経由でのデータ送受信機能などが搭載されている。ところで、このような画像形成装置では、たとえば印刷済みの用紙の再利用を目的とし、印刷済みの用紙の画像が形成されていない余白領域への印刷を行うことがある。
【０００３】
このような印刷済みの用紙の再利用を行うものとして、特許文献１では、用紙を収容する複数のトレイと、用紙の余白領域のサイズを検出する余白領域検出手段と、各トレイのうちから、余白領域検出手段が検出した用紙の余白領域のサイズに応じたトレイを選択し、選択したトレイに用紙を排出する用紙振り分け手段とを備えた用紙仕分け装置を提案している。
【先行技術文献】
【特許文献】
【０００４】
【特許文献１】特開２０１０−０８９８７９号公報
【発明の概要】
【発明が解決しようとする課題】
【０００５】
上述した特許文献１では、余白領域検出手段が用紙の余白領域のサイズを検出すると、用紙振り分け手段が用紙の余白領域のサイズに応じたトレイを選択して用紙を排出するので、使用済み用紙の再利用を行うことができる。ところで、特許文献１では、たとえばＡ５サイズ又はＢ５サイズ以上の余白領域を有する用紙を再生用紙トレイに排出し、たとえばＡ５サイズ又はＢ５サイズ未満の余白領域を有する用紙を再利用不可トレイに排出している。
【０００６】
このように、再利用不可とする余白領域を、たとえばＡ５サイズ又はＢ５サイズ未満に限定すると、再利用できる余白領域が有るにもかかわらず、用紙を無駄にしていることになる。ちなみに、名刺サイズやＬ判サイズなどのように比較的小さいサイズの余白領域であっても、たとえばカードサイズの免許証や保険証などの身分証明書のコピー画像の印刷領域として再利用できるものと考えられる。
【０００７】
また、特許文献１での余白領域は、用紙の左上、右上、左下、右下のように、用紙の角に偏った位置に限定している。このように、余白領域を用紙の角に偏った位置に限定すると、たとえば用紙の中央部分に、名刺サイズやＬ判サイズなどのように比較的小さいサイズの余白領域が有っても、再利用不可として扱われてしまう。
【０００８】
このようなことから、資源の無駄を極力省けることができる印刷済みの用紙の仕分けを行うことができる装置の開発が望まれている。
【０００９】
本発明は、このような状況に鑑みてなされたものであり、上記問題点を解消することができる画像形成装置及び用紙仕分けプログラムを提供することを目的とする。
【課題を解決するための手段】
【００１０】
本発明の画像形成装置は、複数の排紙トレイと、用紙に形成された画像を読み取る画像読取デバイスと、前記画像読取デバイスが読み取った画像から余白が有るかどうかを確認し、前記余白が有る場合は前記余白のサイズを検出する余白検出部と、前記余白検出部が検出した前記余白が複数有る場合、前記余白の最も大きいサイズに応じて再利用可又は再利用不可に設定されている前記排紙トレイを選択し、前記用紙を排出させるシステム制御部とを備えることを特徴とする。
また、前記システム制御部は、全ての前記余白が特定サイズ未満である場合、再利用不可と判断し、再利用不可に設定されている前記排紙トレイを選択し、特定サイズ以上の前記余白が複数有る場合、最も大きいサイズの前記余白に応じて再利用可に設定されている前記排紙トレイを選択することを特徴とする。
また、パネル部を備え、前記システム制御部は、前記パネル部を介して指定された前記余白の指定サイズが特定サイズ以上であるとき、全ての前記余白が前記指定サイズ未満である場合、再利用不可と判断し、再利用不可に設定されている前記排紙トレイを選択し、前記指定サイズ以上の前記余白が複数有る場合、最も大きいサイズの前記余白に応じて再利用可に設定されている前記排紙トレイを選択することを特徴とする。
また、前記システム制御部は、前記余白検出部が前記用紙の表面側と裏面側とに前記余白があることを検出すると、最も大きいサイズの前記余白に応じて再利用可に設定されている前記排紙トレイを選択することを特徴とする。
また、前記余白検出部は、前記余白のサイズの検出に併せ、前記余白の位置を検出し、
前記システム制御部は、前記余白の位置に基づき、前記余白が表面側と裏面側とで重なっている場合、サイズの大きい方を前記余白と判断することを特徴とする。
本発明の用紙仕分けプログラムは、画像読取デバイスにより、用紙に形成された画像を読み取る工程と、余白検出部により、前記画像読取デバイスが読み取った画像から余白が有るかどうかを確認し、前記余白が有る場合は前記余白のサイズを検出する工程と、システム制御部により、前記余白検出部が検出した前記余白が複数有る場合、前記余白の最も大きいサイズに応じて再利用可又は再利用不可に設定されている前記排紙トレイを選択し、前記用紙を排出させる工程とを画像形成装置を制御するコンピューターに実行させることを特徴とする。
本発明の画像形成装置及び用紙仕分けプログラムでは、画像読取デバイスにより、用紙に形成された画像を読み取り、余白検出部により、画像読取デバイスが読み取った画像から余白が有るかどうかを確認し、余白が有る場合は余白のサイズを検出し、システム制御部により、余白検出部が検出した余白が複数有る場合、余白の最も大きいサイズに応じて再利用可又は再利用不可に設定されている排紙トレイを選択し、用紙を排出させる。
これにより、たとえば名刺サイズやＬ判サイズなどのように、比較的小さいサイズに相当する余白が有る場合であっても、印刷済みの用紙を再利用可として仕分けることができる。また、余白は印刷済みの用紙の位置に限定しないため、多くの余白を検出でき、再利用可とする印刷済みの用紙をより多く検出できる。
【発明の効果】
【００１１】
本発明の画像形成装置及び用紙仕分けプログラムによれば、比較的小さいサイズに相当する余白が有る場合であっても、印刷済みの用紙を再利用可として仕分けることができ、余白を印刷済みの用紙の位置に限定しないことで、再利用可とする印刷済みの用紙をより多く検出できることから、資源の無駄を極力省けることができる。
【図面の簡単な説明】
【００１２】
【図１】本発明の画像形成装置をＭＦＰに適用した場合の一実施形態を説明するための図である。
【図２】図１のＡＤＦを説明する図であって、図２（ａ）は図１のＡＤＦの構成を説明するための図であり、図２（ｂ）は図１のＡＤＦのスイッチバック機構を説明するための図であり、図２（ｃ）は図１のＡＤＦのスイッチバック機構を説明するための図である。
【図３】図１の制御部の構成を示す図である。
【図４】図３の余白検出部による余白検出の概要について説明するものであって、図４（ａ）は余白検出部が２つの名刺サイズの余白を検出した場合を示す図であり、図４（ｂ）は余白検出部が名刺サイズの余白とＬ判サイズの余白とを検出した場合を示す図であり、図４（ｃ）は余白検出部が名刺サイズの余白とハガキサイズの余白とを検出した場合を示す図であり、図４（ｄ）は余白検出部がＬ判サイズの余白とＡ５サイズの余白とを検出した場合を示す図であり、図４（ｅ）は余白検出部が用紙の表面側にＬ判サイズの余白とＡ５サイズの余白とを検出し、用紙の裏面側にハガキサイズの余白を検出した場合を示す図であり、図４（ｆ）は余白検出部が用紙の裏面側の全域を余白として検出した場合を示す図である。
【図５】図１のＭＦＰ１００による、定型指定サイズに基づいた印刷済みの用紙の仕分け処理について説明するためのフローチャートである。
【図６】図１のＭＦＰ１００による、ユーザー指定サイズに基づいた印刷済みの用紙の仕分け処理について説明するためのフローチャートである。
【発明を実施するための形態】
【００１３】
以下、本発明の画像形成装置の一実施形態を、図１〜図６を参照しながら説明する。なお、以下の説明においての画像形成装置の一例としては、たとえば印刷機能、コピー機能、ＦＡＸ機能、ネットワーク経由でのデータ送受信機能などを搭載した複合的な周辺機器であるＭＦＰ（Ｍｕｌｔｉｆｕｎｃｔｉｏｎ  Ｐｅｒｉｐｈｅｒａｌ）であるものとする。
【００１４】
まず、図１に示すように、ＭＦＰ１００の本体１０１Ａの内部には、スキャナー部１０１、制御部１１０、給紙部１３０、プリンター部１４０、定着部１５０、搬送部１６０などが搭載されている。なお、符号１７０は給紙トレイ１７１を有するＡＤＦ（Ａｕｔｏ  Ｄｏｃｕｍｅｎｔ  Ｆｅｅｄｅｒ）を示し、符号１８０は複数の排紙トレイ（Ａ）１８１〜（Ｆ）１８６を有するメールボックスを示している。なお、排紙トレイ（Ａ）１８１〜（Ｆ）１８６の数については、６個以上であってもよい。
【００１５】
スキャナー部１０１は、詳細については後述するが、たとえばＡＤＦ１７０から自動給紙されるたとえば印刷済みの用紙２００の表面側及び裏面側の画像を読み取る。また、印刷済みの用紙２００については、たとえば下段の給紙カセット１３１ｃに収容し、給紙カセット１３１ｃから給紙させてもよい。この場合、スキャナー部１０１は、後述の第１搬送路１６１によって搬送され、さらに第２搬送路１６２によって搬送された印刷済みの用紙２００の表面側の画像を読み取った後、第３搬送路１６３で反転された印刷済みの用紙２００の裏面側の画像を読み取る。
【００１６】
制御部１１０は、各部の動作を制御するものであるが、詳細については後述する。給紙部１３０は、用紙サイズや用紙タイプの異なる様々な用紙１３３を収容できる複数の給紙カセット１３１ａ〜１３１ｃを収容する。なお、給紙カセット１３１ａ〜１３１ｃについては、たとえば下段の給紙カセット１３１ｃを、印刷済みの用紙２００用として設定し、上段の給紙カセット１３１ａ及び中段の給紙カセット１３１ｂを、白紙の用紙１３３用として設定できる。また、それぞれの給紙カセット１３１ａ〜１３１ｃには、給紙ローラー１３２が設けられている。給紙ローラー１３２は、給紙カセット１３１ａ〜１３１ｃからの用紙１３３を、搬送部１６０の後述の第１搬送路１６１に送り出す。
【００１７】
プリンター部１４０は、図示しない感光体ドラム、現像装置、帯電装置、露光装置などを有する、マゼンタ（Ｍ）、シアン（Ｃ）、イエロー（Ｙ）、ブラック（Ｂ）を含む画像形成ユニット１４１を備えている。また、プリンター部１４０は、１次転写ローラー１４２、駆動ローラー１４３、従動ローラー１４４、中間転写ベルト１４５、２次転写ローラー１４６を有している。画像形成ユニット１４１は、印刷データに基づき、帯電、露光及び現像の工程により図示しない感光体ドラム上にトナー像を形成する。また、１次転写ローラー１４２は、図示しない感光体ドラム上のトナー像を、駆動ローラー１４３及び従動ローラー４４に張架されている中間転写ベルト１４５上に転写する。２次転写ローラー１４６は、用紙１３３の裏面側から圧接し、用紙１３３の表面側に中間転写ベルト１４５上のトナー画像を転写する。
【００１８】
定着部１５０は、加熱ローラー１５１と加圧ローラー１５２とを有している。加熱ローラー１５１は、図示しない熱源制御部によって制御される熱源からの熱を用紙１３３に与える。加圧ローラー１５２は、用紙１３３を加熱ローラー１５１側に押しつける。加圧ローラー１５２の加圧力は、図示しない加圧調整機構部によって調整される。そして、定着部１５０は、駆動ローラー１４３と２次転写ローラー１４６とにより、トナー画像が転写された用紙１３３に対し、加圧ローラー１５２による圧と加熱ローラー１５１による熱とを加える。これにより、用紙１３３にトナー画像が定着される。なお、図示しない加圧調整機構部は、加圧ローラー１５２を加熱ローラー１５１の方向に押圧する押圧部材、ばね、及びステッピングモーターなどの駆動部で構成され、駆動部を動作させて押圧部材を移動させることにより、加圧ローラー１５２の加圧力を調整する。
【００１９】
搬送部１６０は、給紙カセット１３１ａ〜１３１ｃから分岐点１６４まで延びる第１搬送路１６１と、分岐点１６４からメールボックス１８０まで延びる第２搬送路１６２と、分岐点１６４で迂回し第１搬送路１６１に戻る第３搬送路１６３と、ＡＤＦ１７０から第２搬送路１６２まで延びる第４搬送路１６６とを有している。なお、第１搬送路１６１及び第２搬送路１６２は、片面印刷に使用される。また、第３搬送路１６３は、両面印刷に使用される。
【００２０】
ここで、片面印刷では、第１搬送路１６１が用紙１３３を矢印ａ方向に沿ってプリンター部１４０のトナー画像の転写位置まで搬送し、トナー画像の転写速度に合わせて定着部１５０側に搬送する。さらに、第１搬送路１６１が定着部１５０のトナー画像の定着位置まで搬送し、定着の終えた用紙１３３を第２搬送路１６２側に搬送する。そして、第２搬送路１６２がトナー画像の定着された用紙１３３を矢印ａ方向に沿ってメールボックス１８０側に搬送する。
【００２１】
両面印刷では、第１搬送路１６１が用紙１３３を矢印ａ方向に沿ってプリンター部１４０のトナー画像の転写位置まで搬送し、トナー画像の転写速度に合わせて定着部１５０側に搬送する。さらに、第１搬送路１６１が定着部１５０のトナー画像の定着位置まで搬送し、定着の終えた用紙１３３を第２搬送路１６２側に搬送する。続いて、第２搬送路１６２がトナー画像の定着された用紙１３３を矢印ａ方向に沿ってメールボックス１８０側に搬送するが、用紙１３３の後端が分岐点１６４に差しかかると、第３搬送路１６３が用紙１３３を矢印ｂ方向に沿って搬送し、第１搬送路１６１に送り出す。このとき、用紙１３３が反転する（画像が形成されていない裏面側が中間転写ベルト１４５側に向けられる）。以降は、片面印刷と同様に、第２搬送路１６２がトナー画像の転写及び定着を終えた用紙１３３を矢印ａ方向に沿ってメールボックス１８０側に搬送する。片面印刷及び両面印刷の場合、白紙の用紙１３３が収容されている給紙カセット１３１ａ〜１３１ｃのいずれかを選択できる。
【００２２】
また、詳細については後述するが、ＡＤＦ１７０からたとえば印刷済みの用紙２００を給紙すると、スキャナー部１０１が印刷済みの用紙２００の表面側に印刷されている画像を読み取る。また、後述の図３に示す余白検出部１１８は、スキャナー部１０１が読み取った画像から余白があるかどうかを確認し、余白が有る場合は余白のサイズを検出する。なお、余白検出部１１８は、余白のサイズの検出に併せて余白の位置を検出してもよい。また、第４搬送路１６６がＡＤＦ１７０から給紙されたたとえば印刷済みの用紙２００を矢印ｃ方向に沿って第２搬送路１６２側に搬送すると、第２搬送路１６２が矢印ａ方向に沿ってメールボックス１８０側に搬送する。
【００２３】
ＡＤＦ１７０は、本体１７０Ｂの内部に配置された複数の搬送ローラー１７２〜１７７を有している。また、本体１７０Ｂには、給紙口１７８と排出口１７９とが設けられている。給紙トレイ１７１には、複数枚のたとえば印刷済みの用紙２００をセットすることができる。また、給紙トレイ１７１にセットされたたとえば印刷済みの用紙２００は、図示しない分離機構により１枚ずつに分離される。なお、分離機構としては、サッカー方式やフリクション方式などを採用することができる。
【００２４】
搬送ローラー１７２〜１７６は、後述の図２（ａ）に示すように、点線で示すたとえば印刷済みの用紙２００の搬送路１７０ａに沿って配置されている。搬送ローラー１７７は、後述の図２（ｂ）に示すように、点線で示すたとえば印刷済みの用紙２００の搬送路１７０ｂに沿って配置されている。また、搬送路１７０ｂに沿って搬送されたたとえば印刷済みの用紙２００は、後述の図２（ｃ）に示すように、点線で示す搬送路１７０ｃに沿って搬送され、さらに第４搬送路１６６に沿って搬送された後、第２搬送路１６２側に搬送される。ここで、搬送ローラー１７６、１７７、１７３により、スイッチバック機構１７０Ａが構成されている。なお、搬送ローラー１７２〜１７７の配置については、機種毎に異なるものであり、任意に変更してもよい。また、搬送ローラー１７６、１７７、１７３によるスイッチバック機構１７０Ａについても、機種毎に異なるものであり、任意に変更してもよい。
【００２５】
メールボックス１８０は、制御部１１０の制御により、たとえば印刷済みの用紙２００に対し、用紙２００の余白のサイズに応じて指定された排紙トレイ（Ａ）１８１〜（Ｆ）１８６への仕分けを行う。すなわち、排紙トレイ（Ａ）１８１は、たとえば余白の最大サイズが名刺サイズの場合の排出先に設定されているものとする。また、排紙トレイ（Ｂ）１８２は、たとえば余白の最大サイズがＬ判サイズの場合の排出先に設定されているものとする。また、排紙トレイ（Ｃ）１８３は、たとえば余白の最大サイズがハガキサイズの場合の排出先に設定されているものとする。また、排紙トレイ（Ｄ）１８４は、たとえば余白の最大サイズがＡ５サイズの場合の排出先に設定されているものとする。また、排紙トレイ（Ｅ）１８５は、たとえば余白検出部１１８が用紙２００の裏面側（又は表面側）の全域を余白として検出した場合の排出先に設定されているものとする。また、排紙トレイ（Ｆ）１８６は、以下に説明する定型指定サイズ又はユーザー指定サイズ以上の余白が無く、再利用不可と判断された場合の排出先に設定されているものとする。
【００２６】
次に、図２を参照し、ＡＤＦ１７０の構成について説明する。まず、図２（ａ）に示すように、搬送ローラー１７２は、本体１７０Ｂの給紙口１７８の近傍に配置されており、上述の図示しない分離機構により分離されたたとえば印刷済みの用紙２００の表裏面に圧接し、給紙トレイ１７１上のたとえば印刷済みの用紙２００の一番上側の１枚を回転しながら本体１７０Ｂ内部に引き込み、スキャナー部１０１側に送り出す。
【００２７】
搬送ローラー１７３は、図２（ａ）、（ｂ）に示す搬送路１７０ａ、１７０ｂ上において搬送ローラー１７２の下流側に位置し、搬送ローラー１７２が送り出したたとえば印刷済みの用紙２００を搬送路１７０ａ、１７０ｂに沿って下流側の搬送ローラー１７４側に送り出す。搬送ローラー１７４は、図２（ａ）、（ｂ）に示す搬送路１７０ａ、１７０ｂ上において搬送ローラー１７３の下流側に位置し、搬送ローラー１７３が送り出したたとえば印刷済みの用紙２００を搬送路１７０ａ、１７０ｂに沿って下流側のスキャナー部１０１側に送り出す。
【００２８】
スキャナー部１０１は、搬送路１７０ａ、１７０ｂ上において搬送ローラー１７４の下流側に位置し、搬送ローラー１７４が送り出したたとえば印刷済みの用紙２００を読み取る。すなわち、スキャナー部１０１は、搬送路１７０ａ、１７０ｂの下方側に位置し、たとえば印刷済みの用紙２００の表面側を読み取る。一方、たとえば印刷済みの用紙２００の裏面側は、上述したスイッチバック機構１７０Ａにより、図２（ｃ）に示す搬送路１７０ｃに沿って送り出されることで、反転し、スキャナー部１０１により読み取られる。
【００２９】
ここで、たとえば印刷済みの用紙２００の表面側とは、給紙トレイ１７１にセットされたたとえば印刷済みの用紙２００の上方に向けられている面側である。そして、両面読み取り設定が指定された場合、一定速度で搬送されるたとえば印刷済みの用紙２００の表面側がスキャナー部１０１により読み取られた後、スイッチバック機構１７０Ａによって反転され、たとえば印刷済みの用紙２００の裏面側がスキャナー部１０１によって読み取られ、第４搬送路１６６に沿って搬送された後、第２搬送路１６２側に搬送される。なお、片面読み取り設定が指定された場合、たとえば印刷済みの用紙２００の表面側がスキャナー部１０１により読み取られ、第４搬送路１６６に沿って搬送された後、第２搬送路１６２側に搬送される。
【００３０】
搬送ローラー１７５は、搬送路１７０ａ、１７０ｂ上においてスキャナー部１０１の下流側に位置し、搬送ローラー１７４が送り出したたとえば印刷済みの用紙２００を、搬送路１７０ｃに沿って本体１７０Ｂの排出口１７９側に送り出す。搬送ローラー１７６は、搬送路１７０ａ、１７０ｂ上において搬送ローラー１７５の下流側に位置し、搬送ローラー１７４が送り出したたとえば印刷済みの用紙２００を、搬送路１７０ａに沿って本体１７０Ｂの排出口１７９から排出する。また、搬送ローラー１７６は、排出口１７９から排出したたとえば印刷済みの用紙２００を搬送ローラー１７７側に送り出す。
【００３１】
搬送ローラー１７７は、図２（ｂ）に示すように、搬送路１７０ｂ上において搬送ローラー１７６の下流側に位置し、搬送ローラー１７６が送り出したたとえば印刷済みの用紙２００を、搬送路１７０ｂに沿って搬送ローラー１７３側に送る。なお、搬送ローラー１７３側に送られたたとえば印刷済みの用紙２００は、図２（ｃ）に示すように、搬送路１７０ｃに沿ってスキャナー部１０１側に送られ、スキャナー部１０１により読み取られる。ここで、読み取られるたとえば印刷済みの用紙２００の面は、スイッチバック機構１７０Ａによって反転された裏面側である。そして、スキャナー部１０１により読み取られたとえば印刷済みの用紙２００は、搬送ローラー１７５により第４搬送路１６６側に送られると、第４搬送路１６６から第２搬送路１６２側に送られる。
【００３２】
メールボックス１８０は、制御部１１０の制御により、印刷済みの用紙２００に対し、用紙２００の余白のサイズに応じて指定された排紙トレイ（Ａ）１８１〜（Ｆ）１８６への仕分けを行う。すなわち、排紙トレイ（Ａ）１８１は、たとえば余白の最大サイズが名刺サイズの場合の排出先に設定されているものとする。また、排紙トレイ（Ｂ）１８２は、たとえば余白の最大サイズがＬ判サイズの場合の排出先に設定されているものとする。また、排紙トレイ（Ｃ）１８３は、たとえば余白の最大サイズがハガキサイズの場合の排出先に設定されているものとする。また、排紙トレイ（Ｄ）１８４は、たとえば余白の最大サイズがＡ５サイズの場合の排出先に設定されているものとする。また、排紙トレイ（Ｅ）１８５は、たとえば余白検出部１１８が用紙２００の裏面側（又は表面側）の全域を余白として検出した場合の排出先に設定されているものとする。また、排紙トレイ（Ｆ）１８６は、以下に説明する定型指定サイズ又はユーザー指定サイズ以上の余白が無く、再利用不可と判断された場合の排出先に設定されているものとする。
【００３３】
次に、図３を参照し、図１の制御部１１０の構成について説明する。制御部１１０は、スキャナー部１０１、プリンター部１４０、ＦＡＸ（Ｆａｃｓｉｍｉｌｅ）部１０２、Ｉ／Ｆ（インターフェース）１０３、パネル部１０４及びＨＤＤ１０５の動作を制御する。
【００３４】
スキャナー部１０１は、イメージセンサ（図示省略）によって読み取られる、たとえば印刷済みの用紙２００上の画像をデジタルの画像データに変換し、制御部１１０に入力するデバイスである。プリンター部１４０は、制御部１１０から出力される印刷データに基づき、白紙の用紙１３３上などに画像を印刷するデバイスである。ＦＡＸ部１０２は、制御部１１０から出力されるデータを、電話回線を通じ相手方となるファクシミリへと送信し、また、相手方ファクシミリからのデータを受信して制御部１１０に入力するデバイスである。
【００３５】
Ｉ／Ｆ１０３は、ネットワークを介し、他のＭＦＰ１００やユーザー端末などとの通信を受け持つ。なお、Ｉ／Ｆ１０３は、図示しないコンテンツサーバーやウェブサーバーなどとの通信を受け持ってもよい。パネル部１０４は、たとえばＭＦＰ１００の印刷機能、コピー機能、ＦＡＸ機能、ネットワーク経由でのデータ送受信機能や、各種設定のための表示を行うタッチパネルとハードウェアキーとを有するデバイスである。ＨＤＤ１０５は、ＭＦＰ１００の種々の機能を提供するためのアプリケーションプログラムなどを記憶している記憶デバイスである。また、ＨＤＤ１０５は、ユーザー端末側から登録された印刷ジョブを記憶するユーザーボックスを有している。
【００３６】
制御部１１０は、認証プログラムなどのアプリケーションプログラム、用紙仕分けプログラム、及び制御プログラムなどを実行してＭＦＰ１００全体の動作を制御するプロセッサーである。制御部１１０は、スキャナー制御部１１１、プリンター制御部１１２、ＦＡＸ制御部１１３、通信制御部１１４、ＲＡＭ（Ｒａｎｄｏｍ  Ａｃｃｅｓｓ  Ｍｅｍｏｒｙ）１１５、ＥＥＰＲＯＭ（ｅｌｅｃｔｒｉｃａｌｌｙ  ｅｒａｓａｂｌｅ  ａｎｄ  ｐｒｏｇｒａｍｍａｂｌｅ  ｒｅａｄ−ｏｎｌｙ  ｍｅｍｏｒｙ）１１６、画像処理部１１７、余白検出部１１８、パネル操作制御部１１９、ＨＤＤ制御部１２０、システム制御部１２１を備えている。また、これらは、データバス１２２に接続されている。
【００３７】
スキャナー制御部１１１は、スキャナー部１０１の読み取り動作を制御する。プリンター制御部１１２は、プリンター部１４０の印刷動作を制御する。ＦＡＸ制御部１１３は、ＦＡＸ部１０２によるデータの送受信動作を制御する。通信制御部１１４は、Ｉ／Ｆ１０３を介し、ネットワーク経由でのデータなどの送受信の制御を行う。ＲＡＭ１１５は、プログラムを実行するためのワークメモリーである。また、ＲＡＭ１１５は、画像処理部１１７によって画像処理（ラスタライズ）された印刷データを記憶する。ＥＥＰＲＯＭ１１６には、各部の動作チェックや起動シーケンスを生成する制御プログラムなどが記憶されている。
【００３８】
画像処理部１１７は、スキャナー部１０１によって読み取られた画像データに対する画像処理（ラスタライズ）を行う。また、画像処理部１１７は、ＨＤＤ１０５のユーザーボックスに登録された印刷ジョブに対する画像処理（ラスタライズ）を行う。なお、システム制御部１２１は、画像処理部１１７が画像処理（ラスタライズ）した印刷データを、一旦、ＲＡＭ１１５に記憶させる。
【００３９】
余白検出部１１８は、スキャナー部１０１が読み取った画像データを元に、余白が有るかどうかを確認し、余白が有る場合は余白のサイズを検出する。また、余白検出部１１８は、余白のサイズの検出に併せて余白の位置を検出してもよい。なお、余白検出部１１８が余白を検出する際、スキャナー部１０１が読み取った画像データを元に、たとえば黒データの無い領域を検出する。パネル操作制御部１１９は、パネル部１０４の表示動作を制御する。また、パネル操作制御部１１９は、パネル部１０４を介し、印刷、コピー、ＦＡＸ、ネットワーク経由でのデータ送受信などの設定を受け付ける。また、パネル操作制御部１１９は、パネル部１０４を介し、余白検出のサイズの指定を受け付ける。なお、余白検出のサイズの指定は、スキャナー部１０１の読み取りサイズである定型サイズからの選択であってもよいし、ユーザー指定によるサイズであってもよい。ただし、ユーザー指定によるサイズが定型サイズの最小サイズ（たとえば名刺サイズ）以下である場合は、ユーザー指定によるサイズが定型サイズの最小サイズとして扱われる。
【００４０】
ここで、定型サイズには、たとえばＡ４サイズ、（２１０×２９７ｍｍ）、Ｂ５サイズ（１８２×２５７ｍｍ）、Ａ５サイズ（１４８×２１０ｍｍ）、ハガキサイズ（１００×１４８ｍｍ）、Ｌ判サイズ（８９×１２７ｍｍ）、名刺サイズ（９０×６０ｍｍ）、メトリック指定サイズ、インチ指定サイズなどがある。定型サイズを指定する場合、パネル部１０４を介して任意のサイズを選択する。また、ユーザー指定によるサイズにおいては、たとえば最大サイズのＡ４サイズ以下の範囲での任意のサイズを受け付ける。なお、本実施形態では、たとえば名刺サイズを最小サイズとし、最小サイズ以上の余白が有る印刷済みの用紙２００については、システム制御部１２１が再利用可能と判断し、最小サイズ以上の余白が無い印刷済みの用紙２００については、再利用不可と判断する。
【００４１】
ＨＤＤ制御部１２０は、ＨＤＤ１０５に対するデータの読み出し及び書き込みなどを制御する。システム制御部１２１は、各部の連携動作などを制御する。また、システム制御部１２１は、パネル操作制御部１１９がパネル部１０４を介して余白検出の指示を受け付けると、給紙元をたとえばＡＤＦ１７０に指定し、スキャナー制御部１１１によるスキャナー部１０１によっての用紙２００の搬送、画像の読み取り、余白検出部１１８による余白の検出、メールボックス１８０に対する印刷済みの用紙２００の仕分けなどを指示する。また、システム制御部１２１は、メールボックス１８０を制御し、余白検出部１１８が検出した余白のサイズに応じて、排紙トレイ（Ａ）１８１〜（Ｆ）１８６の排出先を指示する。また、システム制御部１２１は、余白検出部１１８が検出した余白の位置と用紙２００との関連情報を、ＲＡＭ１１５又はＨＤＤ１０５に記憶させてもよい。この場合、印刷済みの用紙２００の再利用時においては、余白検出部１１８が検出した余白の位置に基づき、余白の位置に画像を形成できる。なお、以下では、余白検出部１１８が余白のサイズと位置とを検出するものとして説明する。
【００４２】
次に、図４を参照し、余白検出の概要について説明する。なお、以下に示す図は、スキャナー部１０１が読み取った印刷済みの用紙２００のイメージ画像である。また、以下の図に示す余白は、余白検出部１１８が検出したものである。また、図４（ａ）〜図４（ｄ）に示す印刷済みの用紙２００については用紙２００の表面側にのみ余白が有り、図４（ｅ）に示す印刷済みの用紙２００については表面側と裏面側とに余白が有る場合を示し、図４（ｆ）に示す印刷済みの用紙２００については、たとえば裏面側の全域が余白である場合を示している。また、余白検出部１１８が検出する余白は、たとえば名刺サイズ以上としている。
【００４３】
まず、図４（ａ）は、余白検出部１１８が２つの余白ａを検出した場合を示している。
ここで、余白ａは、たとえば名刺サイズとする。図４（ａ）の例では、余白ａが用紙２００の表面側の右上と右下に位置している。また、余白検出部１１８は、２つの余白ａのサイズと位置とを検出する。
【００４４】
図４（ｂ）は、余白検出部１１８が複数の余白ａ、ｂを検出した場合を示している。ここで、余白ａは、たとえば名刺サイズとする。また、余白ｂは、たとえばＬ判サイズとする。図４（ｂ）の例では、余白ａが用紙２００の表面側の右上に位置し、余白ｂが用紙２００の表面側の右下に位置している。また、余白検出部１１８は、余白ａ、ｂのサイズと位置とを検出する。
【００４５】
図４（ｃ）は、余白検出部１１８が複数の余白ａ、ｃを検出した場合を示している。ここで、余白ａは、たとえば名刺サイズとする。また、余白ｃは、たとえばハガキサイズとする。図４（ｃ）の例では、余白ａが用紙２００の表面側の右上に位置し、余白ｃが用紙２００の表面側の右下に位置している。また、余白検出部１１８は、余白ａ、ｃのサイズと位置とを検出する。
【００４６】
図４（ｄ）は、余白検出部１１８が複数の余白ｂ、ｄを検出した場合を示している。ここで、余白ｂは、たとえばＬ判サイズとする。また、余白ｄは、たとえばＡ５サイズとする。図４（ｄ）の例では、余白ｂが用紙２００の表面側の右上に位置し、余白ｄが用紙２００の表面側の下段に位置している。また、余白検出部１１８は、余白ｂ、ｄのサイズと位置とを検出する。
【００４７】
図４（ｅ）は、余白検出部１１８が複数の余白ｂ、ｃ、ｄを検出した場合を示している。ここで、余白ｂは、たとえばＬ判サイズとする。また、余白ｃは、ハガキサイズとする。また、余白ｄは、Ａ５サイズとする。図４（ｅ）の例では、余白ｂが用紙２００の表面側の右上に位置し、余白ｄが用紙２００の表面側の下段に位置している。また、余白ｃが用紙２００の裏面側の中段に位置している。また、余白検出部１１８は、余白ｂ、ｃ、ｄのサイズと位置とを検出する。また、図４（ｅ）の例では、余白ｂ、ｃが重なっているため、システム制御部１２１が両者のサイズを比較し、サイズの大きい余白ｃを余白と判断する。
【００４８】
図４（ｆ）は、余白検出部１１８が用紙２００の裏面側の全域を余白として検出した場合を示している。
【００４９】
次に、図５及び図６を参照し、印刷済みの用紙２００の仕分け処理について説明する。なお、以下では、印刷済みの用紙２００をＡＤＦ１７０から順次給紙し、余白検出部１１８が検出した用紙２００の余白に応じてメールボックス１８０の排紙トレイ（Ａ）１８１〜（Ｆ）１８６をシステム制御部１２１が選択し、用紙２００の仕分けを行う場合で説明する。また、図５は、パネル部１０４を介し、余白検出のサイズがスキャナー部１０１の読み取りサイズである定型サイズからの選択された場合を示している。選択された定型サイズはたとえば名刺サイズとする。また、選択された名刺サイズを、定型指定サイズとして説明する。また、図６は、パネル部１０４を介し、余白検出のサイズがユーザー指定によるサイズ（たとえば７０×１００ｍｍ）である場合を示している。また、ユーザー指定によるサイズを、ユーザー指定サイズとして説明する。ただし、ユーザー指定サイズが定型サイズの最小サイズ（たとえば名刺サイズ）以下である場合は、ユーザー指定サイズは定型サイズの最小サイズとして扱われる。
【００５０】
また、排紙トレイ（Ａ）１８１は、たとえば余白の最大サイズが名刺サイズの場合の排出先に設定されているものとする。また、排紙トレイ（Ｂ）１８２は、たとえば余白の最大サイズがＬ判サイズの場合の排出先に設定されているものとする。また、排紙トレイ（Ｃ）１８３は、たとえば余白の最大サイズがハガキサイズの場合の排出先に設定されているものとする。また、排紙トレイ（Ｄ）１８４は、たとえば余白の最大サイズがＡ５サイズの場合の排出先に設定されているものとする。また、排紙トレイ（Ｅ）１８５は、たとえば余白検出部１１８が用紙２００の裏面側（又は表面側）の全域を余白として検出した場合の排出先に設定されているものとする。また、排紙トレイ（Ｆ）１８６は、定型指定サイズ又はユーザー指定サイズ以上の余白が無く、再利用不可と判断された場合の排出先に設定されているものとする
【００５１】
（ステップＳ１０１）
システム制御部１２１は、定型指定サイズによる余白検出かどうかを判断する。
この場合、システム制御部１２１は、パネル操作制御部１１９からのパネル部１０４を介して指定された余白検出がたとえば定型サイズの名刺サイズ（９０×６０ｍｍ）であることを示す通知を受け取ると、定型指定サイズによる余白検出と判断し（ステップＳ１０１：Ｙｅｓ）、ステップＳ１０３に移行する。
これに対し、システム制御部１２１は、パネル操作制御部１１９からのパネル部１０４を介して指定された余白検出がたとえばユーザー指定サイズ（たとえば７０×１００ｍｍ）であることを示す通知を受け取ると、定型指定サイズによる余白検出でないと判断し（ステップＳ１０１：Ｎｏ）、ステップＳ１０２に移行する。
【００５２】
（ステップＳ１０２）
システム制御部１２１は、ユーザー指定サイズが定型指定サイズより大きいかどうかを判断する。
この場合、システム制御部１２１は、ユーザー指定サイズ（たとえば７０×１００ｍｍ）が定型指定サイズのたとえば名刺サイズ（９０×６０ｍｍ）より小さい場合、ユーザー指定サイズが定型指定サイズより大きくないと判断し、ステップＳ１０３に移行する。すなわち、ユーザー指定サイズが定型指定サイズである名刺サイズより小さい場合、検出する余白のサイズが小さくなり、再利用に適さないことが多いことから、定型指定サイズである名刺サイズを最小サイズとした余白検出を実行する。
これに対し、システム制御部１２１は、ユーザー指定サイズが定型指定サイズである名刺サイズ（９０×６０ｍｍ）より大きい場合、ユーザー指定サイズが定型指定サイズより大きいと判断し、図５のステップＳ２０１に移行する。すなわち、ユーザー指定サイズ（たとえば７０×１００ｍｍ）がたとえば名刺サイズ（９０×６０ｍｍ）より大きく、たとえばＬ判サイズ（８９×１２７ｍｍ）より小さいサイズ（７０×１００ｍｍ）であれば、再利用に適するとし、ユーザー指定サイズによる余白検出を実行する。
【００５３】
（ステップＳ１０３）
システム制御部１２１は、余白検出を指示する。
この場合、システム制御部１２１は、印刷済みの用紙２００をＡＤＦ１７０から給紙させ、余白検出部１１８に対し余白のサイズと位置との検出を指示する。
このとき、図２で説明したように、ＡＤＦ１７０が印刷済みの用紙２００を給紙すると、搬送ローラー１７２〜１７４が印刷済みの用紙２００をスキャナー部１０１側に搬送する。そして、スキャナー部１０１が印刷済みの用紙２００の表面側に印刷されている画像を読み取る。また、余白検出部１１８は、スキャナー部１０１が読み取った画像から、表面側の余白のサイズと位置とを検出する。
また、搬送ローラー１７６、１７７、１７３により構成されるスイッチバック機構１７０Ａが印刷済みの用紙２００を反転させると（スキャナー部１０１によって画像の読み取りが行われていない裏面側がスキャナー部１０１側に向けられる）、搬送ローラー１７４が印刷済みの用紙２００をスキャナー部１０１側に搬送する。そして、スキャナー部１０１が印刷済みの用紙２００の裏面側に印刷されている画像を読み取る。また、余白検出部１１８は、スキャナー部１０１が読み取った画像から、表面側の余白のサイズと位置とを検出する。
なお、印刷済みの用紙２００の裏面側がスキャナー部１０１によって読み取られると、第４搬送路１６６が印刷済みの用紙２００を第２搬送路１６２側に送り出す。また、第２搬送路１６２が印刷済みの用紙２００をメールボックス１８０側に搬送する。
【００５４】
（ステップＳ１０４）
システム制御部１２１は、余白検出が完了したかどうかを判断する。
この場合、システム制御部１２１は、余白検出部１１８からの余白検出が完了したことを示す通知が無ければ余白検出が完了していないと判断する（ステップＳ１０４：Ｎｏ）。
これに対し、システム制御部１２１は、余白検出部１１８からの余白検出が完了したことを示す通知が有れば余白検出が完了したと判断し（ステップＳ１０４：Ｙｅｓ）、ステップＳ１０５に移行する。
【００５５】
（ステップＳ１０５）
システム制御部１２１は、定型指定サイズ以上の余白が有るかどうかを判断する。
この場合、システム制御部１２１は、余白検出部１１８が検出した余白のサイズを確認し、定型指定サイズである名刺サイズ以上の余白が無い場合、定型指定サイズ以上の余白が無いと判断し（ステップＳ１０５：Ｎｏ）、ステップＳ１０６に移行する。
これに対し、システム制御部１２１は、余白検出部１１８が検出した余白のサイズを確認し、定型指定サイズである名刺サイズ以上の余白が有る場合、定型指定サイズ以上の余白が有ると判断し（ステップＳ１０５：Ｙｅｓ）、ステップＳ１０８に移行する。
すなわち、システム制御部１２１は、図４（ａ）に示したように、余白検出部１１８が２つの名刺サイズの余白ａを検出した場合、定型指定サイズ以上の余白が有ると判断する。また、システム制御部１２１は、図４（ｂ）に示したように、余白検出部１１８が名刺サイズの余白ａと、Ｌ判サイズの余白ｂとを検出した場合、定型指定サイズ以上の余白が有ると判断する。また、システム制御部１２１は、図４（ｃ）に示したように、名刺サイズの余白ａと、ハガキサイズの余白ｃとを検出した場合、定型指定サイズ以上の余白が有ると判断する。また、システム制御部１２１は、図４（ｄ）に示したように、Ｌ判サイズの余白ｂと、Ａ５サイズの余白ｄとを検出した場合、定型指定サイズ以上の余白が有ると判断する。また、システム制御部１２１は、図４（ｅ）に示したように、Ｌ判サイズの余白ｂと、ハガキサイズの余白ｃと、Ａ５サイズの余白ｄとを検出した場合、定型指定サイズ以上の余白が有ると判断する。ただし、図４（ｅ）に示したように、余白ｂ、ｃが重なっている場合、システム制御部１２１が両者のサイズを比較し、サイズの大きい余白ｃを余白と判断する。また、システム制御部１２１は、余白検出部１１８が用紙２００の裏面側の全域を余白として検出した場合、定型指定サイズ以上の余白が有ると判断する。
【００５６】
（ステップＳ１０６）
システム制御部１２１は、再利用不可と判断する。
すなわち、システム制御部１２１は、余白検出部１１８が定型指定サイズ以上の余白を検出しなかった場合、定型指定サイズ以上の余白が無いとし、再利用不可と判断する。
【００５７】
（ステップＳ１０７）
システム制御部１２１は、用紙２００を排紙トレイ（Ｆ）１８６に排出させる。
この場合、システム制御部１２１は、メールボックス１８０を制御し、再利用不可と判断した用紙２００を、再利用不可と判断された場合の排出先に設定されている排紙トレイ（Ｆ）１８６に排出させる。
【００５８】
（ステップＳ１０８）
システム制御部１２１は、再利用可能と判断する。
すなわち、システム制御部１２１は、たとえば図４（ａ）〜図４（ｅ）に示したように、余白検出部１１８が用紙２００の定型指定サイズである名刺サイズ以上の余白ａ、ｂ、ｃ、ｄを検出した場合、及び図３（ｆ）に示したように、用紙２００の裏面側（又は表面側）の全域を余白として検出した場合、再利用可能と判断する。
【００５９】
（ステップＳ１０９）
システム制御部１２１は、余白の最大サイズが名刺サイズを超えているかどうかを判断する。
この場合、システム制御部１２１は、図４（ａ）に示したように、余白検出部１１８が２つの名刺サイズの余白ａを検出した場合、余白の最大サイズが名刺サイズを超えていないと判断し（ステップＳ１０９：Ｎｏ）、ステップＳ１１０に移行する。
これに対し、システム制御部１２１は、図４（ｂ）〜図４（ｆ）に示したように、最大サイズがＬ判サイズ以上である場合、余白の最大サイズが名刺サイズを超えていると判断し（ステップＳ１０９：Ｙｅｓ）、ステップＳ１１１に移行する。
【００６０】
（ステップＳ１１０）
システム制御部１２１は、用紙２００を排紙トレイ（Ａ）１８１に排出させる。
この場合、システム制御部１２１は、メールボックス１８０を制御し、図４（ａ）に示した最大サイズが名刺サイズの余白ａを有する用紙２００を、余白の最大サイズが名刺サイズの場合の排出先に設定されている排紙トレイ（Ａ）１８１に排出させる。
【００６１】
（ステップＳ１１１）
システム制御部１２１は、最大サイズがＬ判サイズを超えているかどうかを判断する。
この場合、システム制御部１２１は、図４（ｂ）に示したように、余白検出部１１８が名刺サイズの余白ａとＬ判サイズの余白ｂとを検出した場合、余白の最大サイズがＬ判サイズを超えていないと判断し（ステップＳ１１１：Ｎｏ）、ステップＳ１１２に移行する。
これに対し、システム制御部１２１は、図４（ｃ）〜図４（ｆ）に示したように、最大サイズがハガキサイズ以上である場合、余白の最大サイズがＬ判サイズを超えていると判断し（ステップＳ１１１：Ｙｅｓ）、ステップＳ１１３に移行する。
【００６２】
（ステップＳ１１２）
システム制御部１２１は、用紙２００を排紙トレイ（Ｂ）１８２に排出させる。
この場合、システム制御部１２１は、メールボックス１８０を制御し、図４（ｂ）に示した最大サイズがＬ判サイズの余白ｂを有する用紙２００を、余白の最大サイズがＬ判サイズの場合の排出先に設定されている排紙トレイ（Ｂ）１８２に排出させる。
【００６３】
（ステップＳ１１３）
システム制御部１２１は、最大サイズがハガキサイズを超えているかどうかを判断する。
この場合、システム制御部１２１は、図４（ｃ）に示したように、余白検出部１１８が名刺サイズの余白ａとハガキサイズの余白ｃとを検出した場合、余白の最大サイズがハガキサイズを超えていないと判断し（ステップＳ１１３：Ｎｏ）、ステップＳ１１４に移行する。
これに対し、システム制御部１２１は、図４（ｄ）〜図４（ｆ）に示したように、最大サイズがＡ５サイズ以上である場合、余白の最大サイズがＬ判サイズを超えていると判断し（ステップＳ１１３：Ｙｅｓ）、ステップＳ１１５に移行する。
【００６４】
（ステップＳ１１４）
システム制御部１２１は、用紙２００を排紙トレイ（Ｃ）１８３に排出させる。
この場合、システム制御部１２１は、メールボックス１８０を制御し、図３（ｃ）に示した最大サイズがハガキサイズの余白ｃを有する用紙２００を、余白の最大サイズがハガキサイズの場合の排出先に設定されている排紙トレイ（Ｃ）１８３に排出させる。
【００６５】
（ステップＳ１１５）
システム制御部１２１は、最大サイズがＡ５サイズを超えているかどうかを判断する。
この場合、システム制御部１２１は、図４（ｄ）に示したように、余白検出部１１８がＬ判サイズの余白ｂとＡ５サイズの余白ｄとを検出した場合、余白の最大サイズがＡ５サイズを超えていないと判断し（ステップＳ１１５：Ｎｏ）、ステップＳ１１６に移行する。
また、システム制御部１２１は、図４（ｅ）に示したように、余白検出部１１８がＬ判サイズの余白ｂとハガキサイズの余白ｃとＡ５サイズの余白ｄとを検出し、さらに裏面側のハガキサイズの余白ｃを余白と判断した場合、余白の最大サイズがＡ５サイズを超えていないと判断し（ステップＳ１１５：Ｎｏ）、ステップＳ１１６に移行する。
これに対し、システム制御部１２１は、図４（ｆ）に示したように、余白検出部１１８が用紙２００のたとえば裏面側の全域を余白として検出した場合、余白の最大サイズがＡ５サイズを超えていると判断し（ステップＳ１１５：Ｙｅｓ）、ステップＳ１１７に移行する。
【００６６】
（ステップＳ１１６）
システム制御部１２１は、用紙２００を排紙トレイ（Ｄ）１８４に排出させる。
この場合、システム制御部１２１は、メールボックス１８０を制御し、図４（ｄ）（ｅ）に示した最大サイズがＡ５サイズの余白ｄを有する用紙２００を、余白の最大サイズがＡ５サイズの場合の排出先に設定されている排紙トレイ（Ｄ）１８４に排出させる。
【００６７】
（ステップＳ１１７）
システム制御部１２１は、用紙２００を排紙トレイ（Ｅ）１８５に排出させる。
この場合、システム制御部１２１は、メールボックス１８０を制御し、図４（ｆ）に示した最大サイズが裏面側の全域である用紙２００を、用紙２００のたとえば裏面側の全域を余白として検出した場合の排出先に設定されている排紙トレイ（Ｅ）１８５に排出させる。
【００６８】
次に、図６を参照し、ユーザー指定サイズによる印刷済みの用紙２００の仕分け処理について説明する。なお、ユーザー指定サイズは、上述したように、たとえば名刺サイズ（９０×６０ｍｍ）より大きく、たとえばＬ判サイズ（８９×１２７ｍｍ）より小さいサイズ（たとえば７０×１００ｍｍ）とする。
【００６９】
（ステップＳ２０１）
システム制御部１２１は、余白検出を指示する。
この場合、システム制御部１２１は、印刷済みの用紙２００をＡＤＦ１７０から給紙させ、余白検出部１１８に対し余白のサイズと位置との検出を指示する。
このとき、図２で説明したように、ＡＤＦ１７０が印刷済みの用紙２００を給紙すると、搬送ローラー１７２〜１７４が印刷済みの用紙２００をスキャナー部１０１側に搬送する。そして、スキャナー部１０１が印刷済みの用紙２００の表面側に印刷されている画像を読み取る。また、余白検出部１１８は、スキャナー部１０１が読み取った画像から、表面側の余白のサイズと位置とを検出する。
また、搬送ローラー１７６、１７７、１７３により構成されるスイッチバック機構１７０Ａが印刷済みの用紙２００を反転させると（スキャナー部１０１によって画像の読み取りが行われていない裏面側がスキャナー部１０１側に向けられる）、搬送ローラー１７４が印刷済みの用紙２００をスキャナー部１０１側に搬送する。そして、スキャナー部１０１が印刷済みの用紙２００の裏面側に印刷されている画像を読み取る。また、余白検出部１１８は、スキャナー部１０１が読み取った画像から、表面側の余白のサイズと位置とを検出する。
なお、印刷済みの用紙２００の裏面側がスキャナー部１０１によって読み取られると、第４搬送路１６６が印刷済みの用紙２００を第２搬送路１６２側に送り出す。また、第２搬送路１６２が印刷済みの用紙２００をメールボックス１８０側に搬送する。
【００７０】
（ステップＳ２０２）
システム制御部１２１は、余白検出が完了したかどうかを判断する。
この場合、システム制御部１２１は、余白検出部１１８からの余白検出が完了したことを示す通知が無ければ余白検出が完了していないと判断する（ステップＳ２０２：Ｎｏ）。
これに対し、システム制御部１２１は、余白検出部１１８からの余白検出が完了したことを示す通知が有れば余白検出が完了したと判断し（ステップＳ２０２：Ｙｅｓ）、ステップＳ２０３に移行する。
【００７１】
（ステップＳ２０３）
システム制御部１２１は、ユーザー指定サイズ以上の余白が有るかどうかを判断する。
この場合、システム制御部１２１は、余白検出部１１８が検出した余白のサイズを確認し、ユーザー指定サイズである、たとえば名刺サイズ（９０×６０ｍｍ）より大きく、たとえばＬ判サイズ（８９×１２７ｍｍ）より小さいサイズ（たとえば７０×１００ｍｍ）以上の余白が無い場合、ユーザー指定サイズ以上の余白が無いと判断し（ステップＳ２０３：Ｎｏ）、ステップＳ２０４に移行する。
これに対し、システム制御部１２１は、余白検出部１１８が検出した余白のサイズを確認し、ユーザー指定サイズであるサイズ（たとえば７０×１００ｍｍ）以上の余白が有る場合、ユーザー指定サイズ以上の余白が有ると判断し（ステップＳ２０３：Ｙｅｓ）、ステップＳ２０６に移行する。
この場合、ユーザー指定サイズは、サイズ（たとえば７０×１００ｍｍ）であるため、余白検出部１１８は、図４（ａ）に示した名刺サイズの余白ａについては検出しない。
システム制御部１２１は、図４（ｂ）に示したように、余白検出部１１８が名刺サイズの余白ａと、Ｌ判サイズの余白ｂとを検出した場合、ユーザー指定サイズであるサイズ（たとえば７０×１００ｍｍ）以上の余白が有ると判断する。また、システム制御部１２１は、図４（ｃ）に示したように、名刺サイズの余白ａと、ハガキサイズの余白ｃとを検出した場合、ユーザー指定サイズであるサイズ（たとえば７０×１００ｍｍ）以上の余白が有ると判断する。また、システム制御部１２１は、図４（ｄ）に示したように、Ｌ判サイズの余白ｂと、Ａ５サイズの余白ｄとを検出した場合、ユーザー指定サイズであるサイズ（たとえば７０×１００ｍｍ）以上の余白が有ると判断する。また、システム制御部１２１は、図４（ｅ）に示したように、Ｌ判サイズの余白ｂと、ハガキサイズの余白ｃと、Ａ５サイズの余白ｄとを検出した場合、ユーザー指定サイズであるサイズ（たとえば７０×１００ｍｍ）以上の余白が有ると判断する。ただし、図４（ｅ）の場合、余白ｂ、ｃが重なっているため、システム制御部１２１が両者のサイズを比較し、サイズの大きい余白ｃを余白と判断する。また、システム制御部１２１は、余白検出部１１８が用紙２００の裏面側の全域を余白として検出した場合、ユーザー指定サイズ以上の余白が有ると判断する。
【００７２】
（ステップＳ２０４）
システム制御部１２１は、再利用不可と判断する。
すなわち、システム制御部１２１は、余白検出部１１８がユーザー指定サイズ以上の余白を検出しなかった場合、ユーザー指定サイズ以上の余白が無いとし、再利用不可と判断する。
【００７３】
（ステップＳ２０５）
システム制御部１２１は、用紙２００を排紙トレイ（Ｆ）１８６に排出させる。
この場合、システム制御部１２１は、メールボックス１８０を制御し、再利用不可と判断した用紙２００を、再利用不可と判断された場合の排出先に設定されている排紙トレイ（Ｆ）１８６に排出させる。
【００７４】
（ステップＳ２０６）
システム制御部１２１は、再利用可能と判断する。
すなわち、システム制御部１２１は、たとえば図４（ｂ）〜図４（ｅ）に示したように、余白検出部１１８が用紙２００のユーザー指定サイズであるサイズ（たとえば７０×１００ｍｍ）以上の余白ｂ、ｃ、ｄを検出した場合、及び図３（ｆ）に示したように、用紙２００の裏面側（又は表面側）の全域を余白として検出した場合、再利用可能と判断する。
【００７５】
（ステップＳ２０７）
システム制御部１２１は、余白の最大サイズがユーザー指定サイズを超えているかどうかを判断する。
この場合、システム制御部１２１は、図４（ｂ）に示したように、余白検出部１１８が名刺サイズの余白ａとＬ判サイズの余白ｂとを検出した場合、余白の最大サイズがユーザー指定サイズを超えていないと判断し（ステップＳ２０７：Ｎｏ）、ステップＳ２０８に移行する。
これに対し、システム制御部１２１は、図４（ｃ）〜図４（ｆ）に示したように、最大サイズがハガキサイズ以上である場合、余白の最大サイズがユーザー指定サイズを超えていると判断し（ステップＳ２０７：Ｙｅｓ）、ステップＳ２０９に移行する。
【００７６】
（ステップＳ２０８）
システム制御部１２１は、用紙２００を排紙トレイ（Ｂ）１８２に排出させる。
この場合、システム制御部１２１は、メールボックス１８０を制御し、図４（ｂ）に示した最大サイズがＬ判サイズの余白ｂを有する用紙２００を、余白の最大サイズがＬ判サイズの場合の排出先に設定されている排紙トレイ（Ｂ）１８２に排出させる。
【００７７】
（ステップＳ２０９）
システム制御部１２１は、最大サイズがハガキサイズを超えているかどうかを判断する。
この場合、システム制御部１２１は、図４（ｃ）に示したように、余白検出部１１８が名刺サイズの余白ａとハガキサイズの余白ｃとを検出した場合、余白の最大サイズがハガキサイズを超えていないと判断し（ステップＳ２０９：Ｎｏ）、ステップＳ２１０に移行する。
これに対し、システム制御部１２１は、図４（ｄ）〜図４（ｆ）に示したように、最大サイズがＡ５サイズ以上である場合、余白の最大サイズがハガキサイズを超えていると判断し（ステップＳ２０９：Ｙｅｓ）、ステップＳ２１１に移行する。
【００７８】
（ステップＳ２１０）
システム制御部１２１は、用紙２００を排紙トレイ（Ｃ）１８３に排出させる。
この場合、システム制御部１２１は、メールボックス１８０を制御し、図４（ｃ）に示した最大サイズがハガキサイズの余白ｃを有する用紙２００を、余白の最大サイズがハガキサイズの場合の排出先に設定されている排紙トレイ（Ｃ）１８３に排出させる。
【００７９】
（ステップＳ２１１）
システム制御部１２１は、最大サイズがＡ５サイズを超えているかどうかを判断する。
この場合、システム制御部１２１は、図４（ｄ）に示したように、余白検出部１１８がＬ判サイズの余白ｂとＡ５サイズの余白ｄとを検出した場合、余白の最大サイズがＡ５サイズを超えていないと判断し（ステップＳ２１１：Ｎｏ）、ステップＳ２１２に移行する。
また、システム制御部１２１は、図４（ｅ）に示したように、余白検出部１１８がＬ判サイズの余白ｂとハガキサイズの余白ｃとＡ５サイズの余白ｄとを検出し、さらに裏面側のハガキサイズの余白ｃを余白と判断した場合、余白の最大サイズがＡ５サイズを超えていないと判断し（ステップＳ２１１：Ｎｏ）、ステップＳ２１２に移行する。
これに対し、システム制御部１２１は、図４（ｆ）に示したように、余白検出部１１８が用紙２００のたとえば裏面側の全域を余白として検出した場合、余白の最大サイズがＡ５サイズを超えていると判断し（ステップＳ２１１：Ｙｅｓ）、ステップＳ２１３に移行する。
【００８０】
（ステップＳ２１２）
システム制御部１２１は、用紙２００を排紙トレイ（Ｄ）１８４に排出させる。
この場合、システム制御部１２１は、メールボックス１８０を制御し、図４（ｄ）（ｅ）に示した最大サイズがＡ５サイズの余白ｄを有する用紙２００を、余白の最大サイズがＡ５サイズの場合の排出先に設定されている排紙トレイ（Ｄ）１８４に排出させる。
【００８１】
（ステップＳ２１３）
システム制御部１２１は、用紙２００を排紙トレイ（Ｅ）１８５に排出させる。
この場合、システム制御部１２１は、メールボックス１８０を制御し、図４（ｆ）に示した最大サイズが裏面側の全域である用紙２００を、用紙２００のたとえば裏面側の全域を余白として検出した場合の排出先に設定されている排紙トレイ（Ｅ）１８５に排出させる。
【００８２】
このように、本実施形態では、スキャナー部１０１（画像読取デバイス）により、印刷済みの用紙２００に形成された画像を読み取り、余白検出部１１８により、スキャナー部１０１（画像読取デバイス）が読み取った画像から余白が有るかどうかを確認し、余白が有る場合は余白のサイズを検出し、システム制御部１２１により、余白検出部１１８が検出した余白が複数有る場合、余白の最も大きいサイズに応じて再利用可又は再利用不可に設定されている排紙トレイ（Ａ）１８１〜（Ｆ）１８６を選択し、印刷済みの用紙２００を排出させる。
【００８３】
これにより、たとえば名刺サイズやＬ判サイズなどのように、比較的小さいサイズに相当する余白が有る場合であっても、印刷済みの用紙２００を再利用可として仕分けることができ、また、余白は印刷済みの用紙の位置に限定しないため、再利用可とする印刷済みの用紙２００をより多く検出できることから、資源の無駄を極力省けることができる。
【００８４】
また、システム制御部１２１は、余白検出部１１８が検出した余白に応じて再利用可又は再利用不可を判断するため、目視判断による手間を低減できる。また、システム制御部１２１は、余白検出部１１８が検出した余白に応じて排出先である排紙トレイ（Ａ）１８１〜（Ｆ）１８６を選択するため、余白サイズに応じた仕分けが可能となり、再利用する際にユーザーの用途に合った用紙２００の使用が容易となる。
【００８５】
なお、用紙２００の裏面側に最大サイズの余白があり、図６に示すステップＳ２０３において、ユーザー指定サイズ以上の余白があると判断された場合、システム制御部１２１は、ステップＳ２０６の後、用紙２００を反転させてから、排紙トレイ（Ｂ）、（Ｃ）、（Ｄ）、又は（Ｅ）に排出させてもよい。
【００８６】
また、上記の実施形態では、用紙２００の両面の余白検出を行ったが、用紙２００の片面（表面側又は裏面側）のみ余白検出を行うようにしてもよい。
【符号の説明】
【００８７】
１００  ＭＦＰ
１０１  スキャナー部
１０１Ａ、１７０Ｂ  本体
１０２  ＦＡＸ部
１０３  Ｉ／Ｆ
１０４  パネル部
１０５  ＨＤＤ
１１０  制御部
１１１  スキャナー制御部
１１２  プリンター制御部
１１３  ＦＡＸ制御部
１１４  通信制御部
１１５  ＲＡＭ
１１６  ＥＥＰＲＯＭ
１１７  画像処理部
１１８  余白検出部
１１９  パネル操作制御部
１２０  ＨＤＤ制御部
１２１  システム制御部
１２２  データバス
１３０  給紙部
１３１ａ〜１３１ｃ  給紙カセット
１３２  給紙ローラー
１３３、２００  用紙
１４０  プリンター部
１４１  画像形成ユニット
１４２  １次転写ローラー
１４３  駆動ローラー
１４４  従動ローラー
１４５  中間転写ベルト
１４６  ２次転写ローラー
１５０  定着部
１５１  加熱ローラー
１５２  加圧ローラー
１６０  搬送部
１６１  第１搬送路
１６２  第２搬送路
１６３  第３搬送路
１６４、１６５  分岐点
１６６  第４搬送路
１７０  ＡＤＦ
１７０ａ〜１７０ｃ  搬送路
１７０Ａ  スイッチバック機構
１７１  給紙トレイ
１７２〜１７７  搬送ローラー
１７８  給紙口
１７９  排出口
１８０  メールボックス
１８１〜１８６  排紙トレイ（Ａ）〜（Ｆ）
ａ〜ｄ  余白
【図１】
2018144998.tif 000003
【図２】
2018144998.tif 000004
【図３】
2018144998.tif 000005
【図４】
2018144998.tif 000006
【図５】
2018144998.tif 000007
【図６】
2018144998.tif 000008